(57)【要約】【課題】  大掛かりな作業を経る事無く、また、当該電力機器に接続されたケーブル等に悪影響を与えることなく、比較的簡易な作業を以って支持碍子や取付プレートを交換できる構造を持った電力機器用取付プレートの提供。【解決手段】  一対の半割り形のプレート片１を連結し、周縁部に複数の支持碍子２を固定する為の支持台を構成すると共に、中央部に配線を通す為の開口部３を構成する電力機器用取付プレートであって、前記支持台は、各支持碍子２を通過させる孔４とそれを封じる支持板５を備え、前記支持板５は、前記孔４に嵌るステージ５ａと、その周縁下部から延出し前記プレート片１の裏面に固着するフランジ５ｂを備え、前記ステージ５ａは、前記プレート片１と略等しい厚さを備え、その中央に支持碍子２の固定ボルト２ａを締結する支持孔５ｄを備えることを特徴とする電力機器用取付プレート。【選択図】      図１
2014068442.tif 000002
【特許請求の範囲】
【請求項１】
一対の半割り形のプレート片を連結し、周縁部に複数の支持碍子を固定する為の支持台を構成すると共に、中央部に配線を通す為の開口部を構成する電力機器用取付プレートであって、
前記支持台は、各支持碍子を通過させる孔とそれを封じる支持板を備え、
前記支持板は、前記孔に嵌るステージと、その周縁下部から延出し前記プレート片の裏面に固着するフランジを備え、
前記ステージは、前記プレート片と略等しい厚さを備え、その中央に支持碍子の固定ボルトを締結する支持孔を備えることを特徴とする電力機器用取付プレート。
【請求項２】
前記一対の半割り形プレート片のうちの片方のプレート片に固定された全ての支持碍子について、
交換すべき支持碍子の機器連結ボルトを解放する工程と、
前記片方のプレート片から支持板を解放する工程と、
前記孔を通じて支持碍子を抜き取る工程と、
前記片方のプレート片を取り外す工程と、
前記片方のプレート片が固定されていた箇所に新たなプレート片を固定する工程と、
前記孔を通じて抜き取った支持碍子及び支持板を装填する工程と、
前記プレート片に前記支持板を締結する工程と、
前記装填した支持碍子の機器連結ボルトを電力機器に連結する工程を経ることを特徴とする前記請求項１に記載の電力機器用取付プレートにおけるプレート片の交換方法。
【請求項３】
交換すべき支持碍子の機器連結ボルトを解放する工程と、
前記プレート片から支持板を解放する工程と、
前記孔を通じて交換すべき支持碍子を抜き取る工程と、
前記支持板から交換すべき支持碍子を取り外す工程と、
前記支持板に新たな支持碍子を固定する工程と、
前記孔を通じて新たな支持碍子及び支持板を装填する工程と、
前記プレート片に前記支持板を締結する工程と、
前記新たな支持碍子の機器連結ボルトを電力機器に連結する工程を経ることを特徴とする前記請求項１に記載の電力機器用取付プレートにおける支持碍子の交換方法。
【発明の詳細な説明】
【技術分野】
【０００１】
本発明は、気中終端箱などの複数の碍子を介して支持しなければならない比較的規模の大きい電力機器（下記特許文献参照）を支持する取付プレートに関する。
【背景技術】
【０００２】
例えば、地中送電線を新設する際の地中ケーブル端末処理材として、一般的に気中終端箱を使用している（下記特許文献参照１及び２参照）。この気中終端箱は、重量が３００ｋｇで高さが１．５ｍと比較的大規模な電力機器であって、地中送電線の邪魔とならない様に、その中心部を空けてその周囲に略均等に配置された複数の碍子を介して支持されている。従来、前記支持碍子は、地中送電線が通過する孔を中央に備える鋼鉄製の取付プレートで支持されており。当該取付プレートは、鉄骨等のフレームにその周縁部が支持されている。
【先行技術文献】
【特許文献】
【０００３】
【特許文献１】特開平１０−２３３１３３号公報
【特許文献２】特開平１０−２６２３２３号公報
【特許文献３】特開２００９−０２６６５７号公報
【発明の概要】
【発明が解決しようとする課題】
【０００４】
前記構造の下、使用期間を重ねる度に支持碍子や取付プレートの付近の金属部の錆が進行すると、当然に支持碍子や取付プレートを取り換える必要性が生じる。
しかしながら、支持碍子や取付プレートを取り換えるには、気中終端箱を固定するボルトを全て緩め、気中終端箱を浮かせなければならない。
【０００５】
例えば、前記支持碍子を交換する具体的な手法としては、（１）気中終端箱を固定するボルトを全て緩める。（２）地中ケーブル固定用のクリートを外す。（３）当該気中終端箱を取付プレートから十数ｃｍ以上宙に浮かせる。（４）支持碍子の取換。(５)地中終端箱を元に戻す。（６）地中ケーブル固定用クリートを接続する。という工程を経る（図４参照）。
【０００６】
この様に、それらを交換するには、比較的大規模な道具を要する比較的大掛かりな作業が余儀なくされる（例えば、図５参照。）。加えて、気中終端箱をむやみに宙に浮かすと、地中ケーブルに無理な負荷が加わり（図４（Ｂ）（Ｃ）参照）、当該地中ケーブル自体やそれが接続される気中終端箱に悪影響を与えることとなる。そのため、地中ケーブルは最少曲げ半径以上を保ちながら慎重に吊り上げる必要がある。
【０００７】
本発明は上記実情に鑑みてなされたものであって、大掛かりな作業を経る事無く、また、当該電力機器に接続されたケーブル等に悪影響を与えることなく、比較的簡易な作業を以って支持碍子や取付プレートを交換できる構造を持った電力機器用取付プレートの提供を目的とする。
【課題を解決するための手段】
【０００８】
上記課題を解決するためになされた本発明による電力機器用取付プレートは、一対の半割り形のプレート片を連結し、周縁部に複数の支持碍子（電力機器を支持する碍子）を固定する為の支持台を構成すると共に、中央部に配線を通す為の開口部を構成する電力機器用取付プレートである。
前記支持台は、各支持碍子を通過させる孔とそれを封じる支持板を備え、前記支持板は、前記孔に嵌るステージと、その周縁下部から延出し前記プレート片の裏面に固着するフランジを備え、前記ステージは、前記プレート片と略等しい厚さを備え、その中央に支持碍子の固定ボルトを締結する支持孔を備えることを特徴とする。
【０００９】
上記課題を解決するためになされた本発明による前記電力機器用取付プレートにおけるプレート片の交換方法は、前記一対の半割り形プレート片のうちの片方のプレート片に固定された全ての支持碍子について、交換すべき支持碍子の機器連結ボルトを解放する工程と、前記片方のプレート片から支持板を解放する工程と、前記孔を通じて支持碍子を抜き取る工程と、前記片方のプレート片を取り外す工程と、前記片方のプレート片が固定されていた箇所に新たなプレート片を固定する工程と、前記孔を通じて抜き取った支持碍子及び支持板を装填する工程と、前記プレート片に前記支持板を締結する工程と、前記装填した支持碍子の機器連結ボルトを電力機器に連結する工程を経ることを特徴とする。プレート片の双方を交換する場合には、もう片方のプレート片についても同じ工程を繰り返す。
【００１０】
上記課題を解決するためになされた本発明による前記電力機器用取付プレートにおける支持碍子の交換方法は、交換すべき支持碍子の機器連結ボルトを解放する工程と、前記プレート片から支持板を解放する工程と、前記孔を通じて交換すべき支持碍子を抜き取る工程と、前記支持板から交換すべき支持碍子を取り外す工程と、前記支持板に新たな支持碍子を固定する工程と、前記孔を通じて新たな支持碍子及び支持板を装填する工程と、前記プレート片に前記支持板を締結する工程と、前記新たな支持碍子の機器連結ボルトを電力機器に連結する工程を経ることを特徴とする。
【発明の効果】
【００１１】
以上の如く、本発明による電力機器用取付プレートの構造によれば、上記本発明によるプレート片又は支持碍子の交換方法を実施することが出来る。
その結果、取付プレートを構成するプレート片や、例えば、気中終端箱等の電力機器を支える支持碍子の取換作業を行う際に、電力機器を浮かさずに、固定用のボルトやナットを緩め又は締めるスパナと言った簡単な工具のみでできるため、作業性の向上、作業時間の短縮、作業コストの削減を図ることができる。
また、電力機器を浮かせる必要もなく、地中ケーブル等の付属部材に無理な力が加わらないので、それらの損傷を防止できるというメリットもある。
【図面の簡単な説明】
【００１２】
【図１】本発明による電力機器用取付プレートの一例を示す（Ａ）：平面図、（Ｂ）：支持板の平面図，Ａ−Ａ矢視図及びＢ−Ｂ矢視図、（Ｃ）：実施態様例の平面図である。
【図２】本発明による電力機器用取付プレートにおけるプレート片又は支持碍子の交換方法の一例を示す説明図である。
【図３】本発明による電力機器用取付プレートにおける支持碍子の交換作業の一例を示す説明図である。
【図４】従来の電力機器用取付プレートにおけるプレート片又は支持碍子の交換方法の一例を示す説明図である。
【図５】従来の電力機器用取付プレートにおけるプレート片又は支持碍子の交換状況の一例を示す説明図である。
【図６】本発明及び従来の電力機器用取付プレートにおける支持碍子の交換作業の一例を比較した工程表である。
【発明を実施するための形態】
【００１３】
以下、本発明による電力機器用取付プレート、及び電力機器用取付プレートにおけるプレート片又は支持碍子の交換方法の実施の形態を図面に基づき説明する。
【００１４】
図１は、本発明による電力機器用取付プレートの一例であって、一対の半割り形のプレート片１を連結して気中終端箱用取付プレートＰを構成する。
前記取付プレートＰは、周縁部に複数の支持碍子２を固定する為の支持台を構成すると共に、中央部に配線を通す為の開口部３を構成する。
【００１５】
当該例では、長方形状を呈する半割り形のプレート片１を、支持フレーム（図１（Ｃ）又は図２参照。）ＦＬに一対固定することによって、略正方形の取付プレートＰを構成すると共に、前記略正方形の取付プレートＰの中央部に、対をなすプレート片１，１の最寄りの長辺側に備える半円状の切欠部１ａ，１ａが向合した略円形の開口部３を構成する。
【００１６】
この取付プレートの様に一対の半割り形のプレート片１，１からなる取付プレートＰにおいては、各プレート片１は、前記開口部３の周囲に、各々１８０度に亘る支持台を１８０度の位相差で構成する。
当該例における取付プレートＰは、前記開口部３の周囲９０度毎に、前記開口部３の中心から等距離の位置に、支持碍子２を通過させる円形の孔４と、当該孔４を封じる支持板５を備える（孔４の配置及び形態は支持すべき電力機器の支持部材の固定位置に合わせる。）。尚、当該例における各プレート片１においては、前記切欠部１ａが形作る半円状での位相で４５度及び１３５度に相当する位置となる。
【００１７】
前記支持板５は、前記プレート片１と略等しい厚さ分突出した前記孔４に嵌る円形のステージ５ａと、その周縁下部から延出し前記プレート片１の裏面に固着するフランジ５ｂを備える。
前記ステージ５ａは、その裏面側に凹部５ｃを設けることによって前記プレート片１と略等しい厚さに調整し、その中央に支持碍子２の固定ボルトを締結する支持孔５ｄを備える。この構造を採ることによって、そこで支持すべき電力機器の荷重に耐え得る最低限の厚みに設定した各プレート片と同様の耐荷重能力が重量を大きく嵩ませることなく確保できる他、既存の支持碍子２が具備する固定ボルト２ａの長さで、前記ステージ５ａへ確実に固定することが可能となる。
【００１８】
前記フランジ５ｂは、前記ステージ５ａと同じ厚みを持ち、且つ前記ステージ５ａを中心として略正方形状に周設し、その四隅のうちの一つを、隣接する二辺の中点を結ぶラインに沿って直線的に切り欠き、前記開口部３のエリアを確実に確保し得る形状を持つ。
前記プレート片１の裏面とフランジ５ｂとの固着は、前記円形の孔４の周囲に設けた三つの固定孔１ｂと、前記フランジ５ｂの三つの隅に設けた固定孔５ｅ，５ｅ，５ｅとをボルト・ナットで連結することによる（図３参照）。
【００１９】
＜プレート片の交換方法＞
上記気中終端箱用取付プレートＰによれば、以下に示す工程を経たプレート片１の交換方法が可能となる。尚、ここでは、気中終端箱Ｔがその下端に四方に開いた支持脚ＦＴを備え、各支持脚ＦＴと取付プレートＰとの間に個別の支持碍子２を介在し、当該取付プレートＰ上に気中終端箱Ｔを支持することとし、四方に開いた支持脚ＦＴの中心から前記取付プレートＰの開口部３を通して地中配線Ｌを引き出すこととする（図２参照）。
【００２０】
即ち、そのプレート片１の交換方法は、前記一対の半割り形プレート片１，１のうちの片方のプレート片１に固定された全ての支持碍子２について、
（１）  交換すべき支持碍子２の機器連結ボルト（気中終端箱Ｔ等の電力機器に連結するボルト）２ｂをナットＮ１をはずして解放する工程（図３（Ａ）参照）と、
（２）  前記片方のプレート片１から支持板５を、ボルト・ナットＢＮを外して解放する工程（図３（Ｂ）参照）と、
（３）  前記孔４を通じて支持碍子２を支持板５ごと抜き取る工程（図３（Ｃ）参照）を行う。
以上の作業を経て二つの支持碍子２を外すことによって、気中終端箱Ｔその他の付属部材に手を加える事無く、気中終端箱Ｔとプレート片１を連結しているボルト・ナット（図示省略）をはずす等により、気中終端箱Ｔからプレート片１を取り外すことができ、
（４）  前記片方のプレート片１を取り外す工程と、
（５）  前記片方のプレート片１が固定されていた箇所に新たなプレート片１を固定する工程を経て、当該プレート片１を支持フレームＦＬから自由に取り外し交換することができる。
【００２１】
この様に片方のプレート片１を交換した後、
（６）  前記孔４を通じて抜き取った支持碍子２及び支持板５を装填する工程（図３（Ｂ）参照）と、
（７）  前記プレート片に前記支持板５をボルト・ナットＢＮを用いて締結する工程（図３（Ａ）参照）と、
（８）  前記装填した支持碍子２の機器連結ボルト２ｂを気中終端箱Ｔに連結する工程を経て、支持碍子２を元通りに装着することによって、片方のプレート片１の交換作業が完了する。
これら一連の工程（（１）〜（８）の工程）と同様の工程を経て他方のプレート片１を交換することにより、取付プレートＰ全体の交換作業が完了する。
【００２２】
＜支持碍子の交換方法＞
上記電力機器用取付プレートによれば、以下に示す工程を経た支持碍子２の交換方法が可能となる。尚、ここでは、先のプレート片１の交換方法と同様に、気中終端箱Ｔがその下端に四方に開いた支持脚ＦＴを備え、各支持脚ＦＴと取付プレートＰとの間に個別の支持碍子２を介在し、当該取付プレートＰ上に気中終端箱Ｔを支持することとし、四方に開いた支持脚ＦＴの中心から前記取付プレートＰの開口部３を通して地中配線Ｌを引き出すこととする。
【００２３】
即ち、その支持碍子２の交換方法は、
（１）  交換すべき支持碍子２の機器連結ボルト２ｂを、ナットＮ１をはずして解放する工程（図３（Ａ）参照）と、
（２）  前記プレート片１から支持板５を、ボルト・ナットＢＮを外して解放する工程（図３（Ｂ）参照）と、
（３）  前記孔４を通じて交換すべき支持碍子２を抜き取る工程（図３（Ｃ）参照）と、
（４）  ボルトからナットＮ２を外して前記支持板５から交換すべき支持碍子２を取り外す工程（図３（Ｄ）参照）と、
（５）  前記支持板５に新たな支持碍子２をナットＮ２で固定する工程と、
（６）  前記孔４を通じて新たな支持碍子２及び支持板５を装填する工程と、
（７）  もとのプレート片１に前記支持板５をボルト・ナットＢＮを用いて締結する工程と、
（８）  前記新たな支持碍子２の機器連結ボルト２ｂを気中終端箱Ｔに連結する工程を経ることによって、前記プレート片１から支持碍子２の交換作業が完了する（図２又は図６参照）。
【００２４】
前記取付プレートＰの構造を利用した上記プレート片１及び支持碍子２の交換方法によれば、取付プレートＰを構成するプレート片１の交換作業や、気中終端箱Ｔを支える支持碍子２の交換作業を行う際に、気中終端箱Ｔを浮かさずに行うことができるので、地中配線ケーブルＬ等の付属部材の損傷が伴わず、図５に示す様な高所において、気中終端箱Ｔを持ち上げる為の大規模な工具を必要とせず、比較的安全で且つ軽易な作業をもって作業を行うことができることとなり、電力設備の保守上の便宜も向上することとなる。
【符号の説明】
【００２５】
Ｐ  取付プレート，
Ｔ  気中終端箱，ＦＴ  支持脚，Ｌ  地中配線，ＦＬ支持フレーム，
Ｎ１，Ｎ２  ナット，ＢＮ  ボルト・ナット
１  プレート片，１ａ  切欠部，１ｂ  固定孔，
２  支持碍子，２ａ  固定ボルト，２ｂ  機器連結ボルト，
３  開口部，４  孔，
５  支持板，
５ａ  ステージ，５ｂ  フランジ，５ｃ  凹部，５ｄ  支持孔，５ｅ  固定孔，
【図１】
2014068442.tif 000003
【図２】
2014068442.tif 000004
【図３】
2014068442.tif 000005
【図４】
2014068442.tif 000006
【図５】
2014068442.tif 000007
【図６】
2014068442.tif 000008